(57)【要約】ＰｏＥシステムによって実施される方法では、ＰＳＥが、データおよび動作電圧を、イーサネット（登録商標）ワイヤを経由して、ＰＤに提供する。全ＰｏＥ電圧が供給される前に、ＰＳＥは、ＰＤによって受信される低電流信号を生成する。その入力端末にわたって接続される、ＰＤ内の回路が、ＰＤがタイプ１またはタイプ２ＰＤであるか等、ＰＤのＰｏＥ要件に対応する、ＰＳＥ信号への特徴的アナログ応答を有する。回路は、ある値の蓄電器、ツェナーダイオード、抵抗器、または他の回路であってもよい。ＰＳＥは、固定電流、固定電圧、または時変信号を生成してもよい。ＰＳＥが特定の時間にアナログ信号応答の大きさを感知する際、ＰＳＥは、応答を、ＰＤのＰｏＥ要件と関連付ける。ＰＳＥは、次いで、ＰＤのＰｏＥ要件に従って、全ＰｏＥ電圧を印加する。【選択図】図２
2016535330.tif 000002
【特許請求の範囲】
【請求項１】
パワーオーバーイーサネット（登録商標）（ＰｏＥ）システムであって、
データおよび電圧をイーサネット（登録商標）ワイヤを経由して提供する給電機器（ＰＳＥ）であって、前記ＰＳＥは、前記イーサネット（登録商標）ワイヤ上での伝送のためのＰｏＥ電圧を生成するための、電圧源を有する、給電機器（ＰｏＥ）と、
前記データおよび電圧を受信するために、少なくとも前記イーサネット（登録商標）ワイヤによって前記ＰＳＥに接続される受電デバイス（ＰＤ）であって、前記ＰＤは、前記ＰＤの入力端末に電気的に結合される、第１の回路を備え、前記第１の回路は、特徴を有し、前記第１の回路は、事前判定された様式において、第２の信号を作成するために、前記ＰＳＥによって生成された第１の信号に応答し、前記第１の回路は、前記ＰＤの特定のＰｏＥ要件を伝達するために選択される、受電デバイス（ＰＤ）と
を備え、
前記ＰＳＥはさらに、
特定の時間に、前記イーサネット（登録商標）ワイヤ上の第１の信号を、前記ＰＤの入力端末に提供する、第１の信号ジェネレータであって、前記第１の信号は、前記ＰＤ内の第１の回路に印加される、第１の信号ジェネレータと、
前記第１の信号に応答して、かつ前記ＰＤ内の前記第１の回路に対する前記第１の信号の印加の間に、前記ＰＤ内の第１の回路によって生成される、前記結果として生じる第２の信号の逓増アナログ振幅を検出する、第１の検出器と、
ある経過時間後に、かつ前記経過時間後に検出される大きさに応答して、前記第２の信号が逓増している間に、前記第２の信号の逓増振幅の大きさを検出することと、前記第２の信号を、前記ＰＤの特定のＰｏＥ要件と関連付けることと、イーサネット（登録商標）ワイヤを介して、前記第２の信号によって伝達される、前記ＰＤのＰｏＥ要件に準拠する前記ＰＤに電力を供給するように前記ＰＳＥを制御することとを行うように構成される処理回路と
を備える、システム。
【請求項２】
前記ＰＤがＰｏＥ対応デバイスである検出と、前記ＰＤの分類とは、前記第２の信号の検出によって同時に実施される、請求項１に記載のシステム。
【請求項３】
前記第１の信号は、固定電流であり、前記第１の回路は、蓄電器であり、前記第２の信号は、逓増電圧であり、前記蓄電器の容量値は、前記ＰＤのＰｏＥ要件を伝達するために選択される、請求項１に記載のシステム。
【請求項４】
前記処理回路は、
前記逓増電圧がある閾値電圧を超えるときを判定するように接続される、比較器と、
前記第１の信号を生成することと前記逓増電圧が前記閾値電圧を超えるときの時間との間の時間を検出するように構成される、タイマ回路と、
イーサネット（登録商標）ワイヤを介して、前記第２の信号によって伝達される、前記ＰＤのＰｏＥ要件に準拠する前記ＰＤに電力を供給するように前記ＰＳＥを制御するための、コントローラ回路と
を備える、請求項３に記載のシステム。
【請求項５】
前記第１の信号は、逓増電圧であり、前記第１の回路は、抵抗器であり、前記第２の信号は、逓増電流であり、前記抵抗器の値は、前記ＰＤのＰｏＥ要件を伝達するために選択され、前記処理回路は、
前記逓増電流がある閾値を超えるときを判定するように接続される、比較器と、
前記逓増電流が前記閾値を超えると、前記逓増電圧の第１の電圧を検出するように構成される、検出器と、
イーサネット（登録商標）ワイヤを介して、前記第１の電圧によって伝達される、前記ＰＤのＰｏＥ要件に準拠する前記ＰＤに電力を供給するように前記ＰＳＥを制御するための、コントローラ回路と
を備える、請求項１に記載のシステム。
【請求項６】
前記第１の信号は、逓増電流であり、前記第１の回路は、抵抗器であり、前記第２の信号は、逓増電圧であり、前記抵抗器の値は、前記ＰＤのＰｏＥ要件を伝達するために選択され、
前記処理回路は、
前記逓増電圧がある閾値を超えるときを判定するように接続される、比較器と、
前記逓増電圧が前記閾値を超えると、前記逓増電流の第１の電流を検出するように構成される、検出器と
イーサネット（登録商標）ワイヤを介して、前記第１の電流によって伝達される、前記ＰＤのＰｏＥ要件に準拠する前記ＰＤに電力を供給するように前記ＰＳＥを制御するための、コントローラ回路と
を備える、請求項１に記載のシステム。
【請求項７】
前記第１の検出器は、前記第２の信号がある閾値を超えると、前記結果として生じる第２の信号のタイミングを検出するように構成され、前記処理回路は、前記タイミングを前記ＰＤのＰｏＥ要件に関連付けることと、イーサネット（登録商標）ワイヤを介して、前記タイミングによって伝達される、前記ＰＤのＰｏＥ要件に準拠する前記ＰＤに電力を供給するように前記ＰＳＥを制御することとを行うように構成される、請求項１に記載のシステム。
【請求項８】
前記第１の検出器は、特定の時点において、前記結果として生じる第２の信号の大きさを検出するように構成され、前記処理回路は、前記大きさを前記ＰＤのＰｏＥ要件に関連付けることと、イーサネット（登録商標）ワイヤを介して、前記大きさによって伝達される、前記ＰＤのＰｏＥ要件に準拠する前記ＰＤに電力を供給するように前記ＰＳＥを制御することとを行うように構成される、請求項１に記載のシステム。
【請求項９】
前記第１の信号は、固定大きさ信号である、請求項１に記載のシステム。
【請求項１０】
前記第１の信号は、時変信号である、請求項１に記載のシステム。
【請求項１１】
前記第１の回路は、前記ＰＤ内で直列に接続される、抵抗器と蓄電器とを備え、前記第１の信号は、時変信号であり、前記第１の検出器は、前記第１の回路の結果として生じる時定数を検出し、前記容量値は、イーサネット（登録商標）ワイヤを介して、前記容量値によって伝達される、前記ＰＤのＰｏＥ要件に準拠する前記ＰＤに電力を供給するように前記ＰＳＥを制御するために、前記時定数から判定される、請求項１に記載のシステム。
【請求項１２】
前記処理回路は、ＰｏＥのためのＩＥＥＥ規格に従って、タイプ１およびタイプ２を含む、ＰＤタイプを判定するように構成される、請求項１に記載のシステム。
【請求項１３】
前記ＰＳＥによって検出される前記第１の回路の特徴に影響を及ぼし得る、前記ＰＤ内の下流回路から、前記第１の回路を隔離する、前記ＰＤ内の第１のスイッチと、
前記ＰＳＥが前記ＰＤのＰｏＥ要件を判定した後のみ、前記下流回路を、前記ＰＤの入力端末に接続するように、前記第１のスイッチを閉鎖するように構成される、第１のスイッチコントローラと
をさらに備える、請求項１に記載のシステム。
【請求項１４】
前記ＰＤはさらに、
前記ＰＳＥがある閾値を超えるＰｏＥ電圧を供給しているかどうかを判定する、低電圧ロックアウト（ＵＶＬＯ）回路と、
前記ＰｏＥ電圧が前記閾値を超えると、ＵＶＬＯ回路によって閉鎖されるように制御される、スイッチと、
前記スイッチが前記ＰｏＥ電圧を調整するために閉鎖されるとき、前記ＰｏＥ電圧を受信するために接続される、ＰＤコンバータと、
前記ＰＤコンバータによって給電される、ＰＤ負荷と
を備え、
前記ＰｏＥ電圧は、前記ＰＳＥが前記ＰＤのＰｏＥ要件を判定した後のみ、前記ＰＳＥによって提供される、請求項１に記載のシステム。
【請求項１５】
前記第１の回路は、前記イーサネット（登録商標）ワイヤにわたって接続される、請求項１に記載のシステム。
【請求項１６】
前記ＰＳＥが前記ＰＤのＰｏＥ要件を判定した後、前記第１の回路を前記イーサネット（登録商標）ワイヤから切断するために接続される、スイッチをさらに備える、請求項１５に記載のシステム。
【請求項１７】
パワーオーバーイーサネット（登録商標）（ＰｏＥ）システムであって、
データおよび電圧をイーサネット（登録商標）ワイヤを経由して提供する給電機器（ＰＳＥ）であって、前記ＰＳＥは、前記イーサネット（登録商標）ワイヤ上での伝送のためのＰｏＥ電圧を生成するための電圧源を有する、給電機器（ＰｏＥ）と、
前記データおよび電圧を受信するために、少なくとも前記イーサネット（登録商標）ワイヤによって前記ＰＳＥに接続される受電デバイス（ＰＤ）であって、前記ＰＤは、前記ＰＤの入力端末に電気的に結合される、ツェナーダイオードを備え、前記ツェナーダイオードは、事前判定された様式において、電圧が制限された信号を作成するために、前記ＰＳＥによって生成された第１の信号に応答し、前記ツェナーダイオードは、前記ＰＤの特定のＰｏＥ要件を伝達するために選択される、受電デバイス（ＰＤ）と
を備え、
前記ＰＳＥはさらに、
特定の時間に、前記イーサネット（登録商標）ワイヤ上の第１の信号を、前記ＰＤの入力端末に提供する、第１の信号ジェネレータであって、前記第１の信号は、前記ＰＤ内のツェナーダイオードに印加される、第１の信号ジェネレータと、
前記第１の信号に応答して、前記ＰＤ内のツェナーダイオードによって生成される、前記電圧が制限された信号を検出する、第１の検出器と、
前記電圧が制限された信号の検出される大きさに応答して、前記電圧が制限された信号を検出することと、前記電圧が制限された信号を、前記ＰＤの特定のＰｏＥ要件と関連付けることと、イーサネット（登録商標）ワイヤを介して、前記電圧が制限された信号によって伝達される、前記ＰＤのＰｏＥ要件に準拠する前記ＰＤに電力を供給するように前記ＰＳＥを制御することとを行うように構成される処理回路と
を備える、パワーオーバーイーサネット（登録商標）（ＰｏＥ）システム。
【請求項１８】
前記第１の信号は、固定電流である、請求項１７に記載のシステム。
【請求項１９】
前記処理回路は、
イーサネット（登録商標）ワイヤを介して、前記制限された電圧によって伝達される、前記ＰＤのＰｏＥ要件に準拠する前記ＰＤに電力を供給するように前記ＰＳＥを制御するための、コントローラ回路
を備える、請求項１７に記載のシステム。
【請求項２０】
前記第１の信号は、逓増電圧である、請求項１７に記載のシステム。
【請求項２１】
前記処理回路は、
前記逓増電圧信号に応答して、前記電圧が制限された信号を検出するように構成される、第１の検出器と、
イーサネット（登録商標）ワイヤを介して、前記電圧が制限された信号によって伝達される、前記ＰＤのＰｏＥ要件に準拠する前記ＰＤに電力を供給するように前記ＰＳＥを制御するための、コントローラ回路と
を備える、請求項２０に記載のシステム。
【発明の詳細な説明】
【技術分野】
【０００１】
（関連出願の引用）
本願は、Ｄａｖｉｄ  Ｄｗｅｌｌｅｙ  ｅｔ  ａｌ．によって２０１３年１０月１日に出願された米国仮出願第６１／８８５，１９５号に基づいており、該仮出願からの優先権を主張するものであり、該仮出願は、参照により本明細書中に援用される。
【０００２】
本発明は、電力がデータラインを経由して伝送され、全ＰｏＥ電圧がデータラインに印加される前に、ルーチンが実行される、パワーオーバーイーサネット（登録商標）（ＰｏＥ）等のシステムに関する。本発明は、より具体的には、給電機器（ＰＳＥ）に、受電デバイス（ＰＤ）がＰｏＥ対応であることと、ＰＤの電力要件とを識別する、スキームに関する。
【背景技術】
【０００３】
遠隔にある機器に給電するために、データラインを経由して電力を伝送することが知られている。パワーオーバーイーサネット（登録商標）（ＰｏＥ）は、１つのそのようなシステムの実施例である。ＰｏＥでは、制限された電力が、イーサネット（登録商標）スイッチから、イーサネット（登録商標）に接続された機器（例えば、ＶｏＩＰ電話、ＷＬＡＮ伝送機、セキュリティカメラ等）に伝送される。スイッチからのＤＣ電力が、標準ＣＡＴ−５ケーブル内のツイストペアワイヤの２つのセットを経由して伝送される。同じツイストペアワイヤの２つのセットはまた、ＤＣコモンモード電圧がデータに影響を及ぼさないため、差動データ信号を伝送してもよい。このように、「受電デバイス」（ＰＤ）のための任意の外部電源を提供する必要性は、排除されることができる。ＰｏＥのための規格は、ＩＥＥＥ８０２．３に記載され、参照することによって本明細書に組み込まれる。
【０００４】
データラインを経由して電力を提供するステップは、他の既存のシステムおよび将来のシステムに適用可能である。例えば、自動車内の電子機器は、配線を減少するためにデータラインを経由して提供されている、機器に対する電力からますます利益を享受するであろう。データラインを経由する電力を使用する、種々の新しいシステムが、ＩＥＥＥまたは他のグループによって規格化されてもよい。
【０００５】
データラインを経由する電力を使用する、そのようなシステムは、ハンドシェイクプロトコルを要求してもよい、またはそれを要求しなくてもよい。本発明は、全ＰｏＥ電圧がデータラインに印加されるように、ＰＤからある種のインジケーションを要求するシステムに適用される。
【０００６】
本発明は、データラインを経由する電力を使用する任意のシステムに適用されてもよいが、典型的なＰｏＥシステムが、実施例として説明される。
【０００７】
図１は、ＰｏＥを使用する典型的なイーサネット（登録商標）システムを表す。図１の実施例では、「給電機器」（ＰＳＥ）１２は、電力およびデータをＰＤに供給する任意のイーサネット（登録商標）デバイスであってもよい。ＰＳＥ１２およびＰＤ１４は、典型的には、標準イーサネット（登録商標）８ピン（４つのツイストペア）ＲＪ４５コネクタで終端される、標準ＣＡＴ−５ケーブルを介して接続される。２つのツイストペアのみが、典型的には、ＰｏＥおよびデータのために必要とされる。
【０００８】
ＰＳＥ１２は、典型的には、幹線電圧（１２０ＶＡＣ）によって給電され、４４〜５７ボルトのＤＣ電圧を生成するために、外部または内部のいずれかの電圧コンバータ１６を使用する。ＰｏＥ規格は、ＰＳＥが、最低３７ボルトをＰＤに供給することを要求する。ケーブルに沿った電圧降下は、距離とともに増加する。
【０００９】
２つのツイストペア１８および２０が、ＰｏＥ電力を搬送するように割り当てられ、これらのペアはまた、差動データを搬送してもよい。残りの２つのペアもまた、示される。使用される全てのペアは、変圧器２２および２４等の変圧器によって、ＰＤ１４で終端される。ツイストペア１８は、４４ボルトを提供し、ツイストペア２０は、接地に接続されると仮定される。接続は、ＰＤ１４に４４ボルトを提供するために、変圧器２２および２４の中間タップに成される。ＤＣ電圧はコモンモードであるため、これは、差動データに影響を及ぼさない。変圧器から下流の極性補正回路（ダイオードブリッジ）等、他の従来型終端回路もまた、終端ブロック２５内に含まれるが、本発明に関連しない。
【００１０】
電圧を、任意の電圧またはＰＤ１４によって要求される電圧に転換するために、４４ボルトが、ＤＣ−ＤＣコンバータ２６に印加される。負荷２８（例えば、セキュリティカメラ）は、コンバータ２６によって給電され、ツイストワイヤペアを介してＰＳＥ１２と通信する。
【００１１】
ＩＥＥＥ規格は、ＰｏＥによって給電されるデバイスの存在を検出するために、およびＰＳＥ１２がＰＤ１４に全電力を利用可能にするのに先立って、ＰＳＥ１２およびＰＤ１４の関連する特徴を伝達するために、ＰＳＥ１２とＰＤ１４との間に、ある低電流ハンドシェイクプロシージャを要求する。検出／分類回路２９は、ハンドシェイクルーチンを制御し、これは、状態マシン、プロセッサ、または任意の他の好適な制御回路であってもよい。ＰＳＥ１２もまた、ハンドシェイクルーチンを実行するための回路を含有する。ハンドシェイクルーチンを実行するための回路は、周知のＩＣである。
【００１２】
以下は、ＰＳＥ１２とＰＤ１４との間のハンドシェイクルーチンの簡略化された概要である。
【００１３】
ＰＳＥ１２が、最初に、イーサネット（登録商標）ケーブルを介してＰＤ１４に接続されると、ＰＳＥ１２は、これが、ＰｏＥ対応であるかどうかを判定するために、ＰＤ１４に問い合わせを行う。本期間は、検出段階と称される。検出段階中、ＰＳＥ１２は、第１の電流が制限された電圧を、固定間隔の間、ＰＤ１４に、ツイストワイヤペア１８および２０を介して印加し、次いで、第２の電流が制限された電圧を、固定間隔の間、印加しながら、結果として生じる電流を検出することによって、ＰＤ１４の特徴的インピーダンス（約２５ｋオーム）を探す。正しいインピーダンスが検出されない場合、ＰＳＥ１２は、負荷が、ＰｏＥ対応ではないと見なし、ＰｏＥ発電端をシャットダウンする。本システムは、次いで、標準イーサネット（登録商標）接続として動作する。
【００１４】
シグネチャインピーダンスが検出される場合、ＰＳＥ１２は、随意の分類段階に移行する。ＰＳＥ１２は、ＰＤ１４への電圧を逓増させる。ＰＳＥ１２は、１つのパルス（これは、タイプ１ＰＳＥであることを示す）または２つのパルス（これは、タイプ２ＰＳＥであること示す）のいずれかを生成する。ＰＤ１４は、ＰＤ１４がタイプ１またはタイプ２であるかを識別するために、ある電流レベルを伴う分類パルスに応答する。タイプ１ＰＤは、１３Ｗ未満を要求する。タイプ２ＰＤは、最大２５．５Ｗまでを要求する。それぞれ、最大平均電流レベルおよび最大瞬間電流レベルと関連付けられる、これらのタイプ内の種々のクラス（例えば、５クラス）もまた、識別されてもよい。分類抵抗が、使用されてもよい。ＰＳＥ１２は、次いで、これが、要求される電力をＰＤ１４に供給できるかどうかを判定するために、本電力要求情報を使用してもよく、ＰＤ１４は、これが、ＰＳＥ１２とともに完全に動作することができるかどうか判定するために、本情報を使用する。検出および分類段階のための最大時間ウィンドウ（例えば、５００ミリ秒）が、存在する。
【００１５】
他のタイプの検出および分類ルーチンならびに規格も、将来的に実装されてもよい。
【００１６】
検出および分類段階が完了すると、ＰＳＥ１２は、その出力電圧を、４２Ｖを上回るように逓増させる。いったん低電圧ロックアウト（ＵＶＬＯ）閾値がＰＤ１４において検出されると、内部ＦＥＴが、全ＰｏＥ電圧を、コンバータ２６に接続させるためにオンにされ、コンバータ２６は、調整されたＤＣ電圧を、負荷２８に供給する。この時点において、ＰＤ１４は、通常に動作し始め、これは、入力電圧が要求されるレベルを上回ったままである限り、通常に動作し続ける。
【００１７】
見られるように、ハンドシェイク動作は、実施するために時間がかかる、複数の低電流動作を要求する。さらに、ＰＤは、種々のハンドシェイク信号を生成するための、ＰｏＥコントローラＩＣを含有しなければならず、そのようなＩＣは、各ＰＤにコストを追加する。さらに、２５ｋオームの抵抗器は、通常動作中、ＰＤによる電流引き込みを増加させる。
【００１８】
必要とされるものは、ＰＳＥに、ＰＤがＰｏＥ対応であることを識別するため、およびＰＤがタイプ１またはタイプ２デバイスであるか等、ＰＤの電力要件を識別するための新しい技法であり、本技法は、従来技術の技法の欠点を被らない。
【発明の概要】
【課題を解決するための手段】
【００１９】
本発明は、ＰＳＥに、ＰＤがＰｏＥ対応であることを識別し、タイプ１またはタイプ２等のＰＤのタイプを識別するための、単一ステップの検出および分類技法である。本単一ステップ技法はまた、ＰＤについての他の情報を識別してもよい。
【００２０】
一実施形態では、ＰＤ設計者は、ＰＤによって要求されるＰｏＥ電力レベルに対応する、特定の値を有する蓄電器を選択する。蓄電器は、入力変圧器から下流のＰＤのワイヤペアにわたって、およびＰｏＥワイヤをＰＤのコンバータに接続するスイッチの前に接続される。
【００２１】
ＰＳＥが、最初に、標準イーサネット（登録商標）ケーブルを介してＰＤに接続されると、またはＰＳＥが、電源をオンにされると、ＰＳＥは、事前判定された低ＤＣ電流を、イーサネット（登録商標）ワイヤペアに供給するように内部で制御される。固定電流は、蓄電器に逓増電圧を生成させるために、ＰＤの前端における蓄電器を充電させ、逓増の傾斜は、容量値によって判定される。電流が低いため、ケーブルに沿った電圧降下は、殆ど存在しない。
【００２２】
ＰＤ内部の第１のスイッチは、下流回路が、ＰＳＥによって感知される容量に影響を及ぼさないように、蓄電器を隔離するために、蓄電器と下流ＰＤ回路との間で開放される。第１のスイッチは、下流容量が有意ではない場合、排除されることができる。
【００２３】
ＰＳＥ内の比較器が、逓増電圧が既知の閾値を超えるときを検出する。電流の印加と閾値を超えるまでとの間の時間は、蓄電器の値と直接的に相関する（Ｃ＝ｉ＊ｔ／ｖ）。一実施例では、時間が第１の時間範囲内である場合、ＰＳＥは、ＰＤ蓄電器が、ＰＤがＰｏＥ対応であり、タイプ１ＰＤであることを示す、第１の値を有すると判定する。時間が第２の時間範囲内である場合、ＰＳＥは、ＰＤ蓄電器が、ＰＤがＰｏＥ対応であり、タイプ２ＰＤであることを示す、第２の値を有すると判定する。ＰＤについてのさらなる情報が、逓増電圧が閾値を超えるのにかかる時間に基づいて判定されてもよい。
【００２４】
閾値を超えた後、ＰＳＥは、低電流をＰＤに印加することを停止する。第１のスイッチは、次いで、下流ＰＤ回路をＰＤ入力端末に接続するために、閉鎖される。
【００２５】
「遅延」時間Ｔｄは、ＰＳＥ内のコントローラに適用される。Ｔｄがタイプ１ＰＤと関連付けられる場合、コントローラは、全ＰｏＥ電圧をイーサネット（登録商標）ワイヤに供給するために、ＰＳＥの電力供給源を制御し、電流／電力制限等、タイプ１ＰＤに関連付けられる種々の制約を実装する。Ｔｄがタイプ２ＰＤと関連付けられる場合、コントローラは、全ＰｏＥ電圧をイーサネット（登録商標）ワイヤに供給するために、ＰＳＥの電力供給源を制御し、タイプ２ＰＤに関連付けられる種々の制約を実装する。付加的なＴｄ範囲が、付加的なタイプ、識別、テレメトリ等、ＰＤの他のパラメータと関連付けられることができる。
【００２６】
ＰＤは、次いで、ＰＳＥ電圧がＵＶＬＯ閾値を超えることを検出し、ＰＳＥ電圧をＰＤのコンバータに結合する、蓄電器から下流の第２のスイッチを閉鎖する。コンバータは、次いで、ＰＳＥ電圧を調整し、ＰＤ負荷に給電する。ＰＤ蓄電器は、ＤＣ電圧にわたって接続されるため、これは、ＰＤによって消費される電圧または電力に悪影響を及ぼさない。有利には、蓄電器はまた、ＰｏＥライン上の過渡をフィルタ処理する役割も果たす。別の実施形態では、蓄電器は、通常動作中に切り替えられる。
【００２７】
ＰＤのタイプ毎の蓄電器の値は、規格化されてもよい。閾値を超える電圧の逓増は、非常に速くなり得、ＰＳＥによって低電流を印加する単一ステップのみを要求するため、ＰＳＥとＰＤとの間のハンドシェイクは、非常に単純かつ速い。また、いかなるＰＤコントローラＩＣも、ハンドシェイクのために必要とされない。蓄電器は、ＰＤ集積回路の一部として形成されてもよく、または別個に接続される離散蓄電器であってもよい。
【００２８】
別の実施形態では、蓄電器の代わりに、ツェナーダイオードまたは他の電圧リミッタが、ＰＤ内のワイヤペアにわたって接続される。電圧制限値は、事前判定された規格に従って、ＰＤタイプ（または他のパラメータ）を伝達するために選択される。ＰＳＥは、低ＤＣ電流をワイヤペアに印加し、これは、電圧リミッタにわたって特定の電圧降下を作成する。ＰＳＥは、電圧降下（または他の制限された電圧）を測定し、電圧降下を、対応するＰＤタイプに相関させる。ＰＳＥ電力供給源および他の回路は、次いで、適切なＰｏＥ規格に従って、ＰＤに給電するように制御される。
【００２９】
別の実施形態では、抵抗器が、ＰＤ内のワイヤペアにわたって接続される。抵抗器の値は、事前判定された規格に従って、ＰＤタイプ（または他のパラメータ）を伝達するために選択される。ＰＳＥは、逓増電圧をワイヤペアに印加し、これは、ワイヤペアを通して逓増電流を作成する。ＰＳＥは、電流を測定し、電流がある閾値を超えると、電圧が、測定される。測定された電圧は、対応するＰＤタイプに相関する。ＰＳＥ電力供給源および他の回路は、次いで、適切なＰｏＥ規格に従って、ＰＤに給電するように制御される。
【００３０】
種々の実施形態では、蓄電器、ツェナーダイオード、または抵抗器からもたらされる、単一の検出された信号のアナログ振幅は、ＰＤについての情報を判定する。
【００３１】
種々の他の実施形態も、説明される。
【００３２】
ＰＳＥおよびＰＤという用語は、電力を供給する機器と、電力を受信する機器とを識別するために、本開示全体を通して使用され、そのような機器／デバイスは、規定されない限り、イーサネット（登録商標）機器／デバイスに限定されない。
【図面の簡単な説明】
【００３３】
【図１】図１は、従来型ＰｏＥ対応イーサネット（登録商標）システムを例証する。
【００３４】
【図２】図２は、本発明の一実施形態に従って、ＰＤのＰｏＥ要件を判定するために、ＰＤ蓄電器の値を検出する、ＰｏＥシステムを例証する。
【００３５】
【図３】図３は、ＰＳＥによって供給される低電流に応答して、ＰＤ蓄電器によって生成される、電圧逓増を例証し、閾値を超えるまでにかかる時間は、ＰＤのＰｏＥ特徴を伝達する。
【００３６】
【図４】図４は、図２のシステムによって実施される種々のステップを識別する、フローチャートである。
【００３７】
【図５】図５は、本発明の別の実施形態に従って、ＰＤのＰｏＥ要件を判定するために、ＰＤ内の制限された電圧の値を検出する、ＰｏＥシステムを例証する。
【００３８】
【図６】図６は、ＰＳＥによって供給される低電流に応答して、図５の実施形態において使用される、ツェナーダイオードにわたる電圧降下を例証し、電圧降下は、ＰＤのＰｏＥ特徴を伝達する。
【００３９】
【図７】図７は、図５のシステムによって実施される種々のステップを識別する、フローチャートである。
【００４０】
【図８】図８は、本発明の別の実施形態に従って、ＰＤのＰｏＥ要件を判定するために、ＰＤ内の抵抗の値を検出する、ＰｏＥシステムを例証する。
【００４１】
【図９】図９は、ＰＳＥおよび電流閾値によって生成される、電圧逓増を例証し、電流が閾値を超えると測定される電圧は、抵抗値と、したがって、ＰＤのＰｏＥ特徴に相関する。
【００４２】
【図１０】図１０は、図８のシステムによって実施される種々のステップを識別する、フローチャートである。
【００４３】
同じまたは同等である要素は、同じ番号を用いて標識化される。
【発明を実施するための形態】
【００４４】
示される種々の回路は、ＰｏＥ対応イーサネット（登録商標）システム等のシステムの関連する側面を表し、電力は、データラインを経由して供給される。データパス等のＰｏＥシステムの他の部分は、本発明から独立しており、従来型であってもよい。
【００４５】
図２では、ＰＳＥ４０が、ＰＤ４２のＰｏＥ要件を検出し、次いで、適切なＰｏＥ電圧および最大電力をＰＤ４２に提供するように構成される。簡易化するために、所与の実施例は、ＰＤがタイプ１ＰＤ（最大１３Ｗ）またはタイプ２ＰＤ（最大２５．５Ｗ）であるかを識別する。そのような識別は、同時に、ＰＳＥ４０に、ＰＤがＰｏＥ対応であることを識別させ、したがって、検出および分類は、同じステップにおいて実施される。説明される回路はまた、５つのタイプのうちの１つ等、付加的なタイプを識別し、ＰＳＥ４０に、識別、テレメトリ等、ＰＤ４２についての任意の他の情報を識別させるために使用されてもよい。
【００４６】
本実施例では、ＰＤタイプは、フロントエンド回路４６から下流のＰＤ入力端末に結合される、蓄電器４４の値によって伝達される。蓄電器４４の選択された値は、ＰＤ４２の任意の電流または電力分類を識別するために使用されることができる。ある規格は、蓄電器の値を、ＰＤのＰｏＥ要件に相関させる。蓄電器４４の値によって伝達された情報は、ＰＳＥ４０が、１つの特定の要件ではなく、要件の範囲に従って、出力電流または電力を割り当て得るように、ＰＳＥ４０に、種々の要件の集合またはカテゴリ化を表すことができる。これは、ＰＳＥ実装を単純化し、電流／電力分類スキームの規格化を容易化し得る。
【００４７】
ＰＤ４２内の蓄電器４４から上流には、図１に示される従来型入力変圧器と、ＰＳＥ４０がワイヤに正しく結合されない場合に極性補正回路として使用される従来型ダイオードブリッジとがある。これらの従来型回路は、フロントエンド回路４６内にある。ワイヤペア１８および２０は、ペア毎に１つのみのワイヤを示すように簡略化される。ワイヤペア２０は接地されると仮定されるが、これは、その場合に限られなくてもよい。
【００４８】
図２のＰｏＥシステムの説明は、図４のフローチャートを参照して説明される。
【００４９】
ステップ４８において、システム設計者またはユーザは、蓄電器４４に、ＰＤタイプ（タイプ１またはタイプ２）に対応する適切な値を提供する。蓄電器４４は、下流回路がＰＳＥ４０によって検出される容量値に影響を及ぼさないように、第１のスイッチ５０によって下流ＰＤ回路から隔離される。第１のスイッチ５０のためのスイッチコントローラ５１が、ＰＳＥ４０が低電流検出／分類ルーチンを終えるまで、第１のスイッチ５０を開放したままに保つ。
【００５０】
ステップ５２において、ＰＳＥ４０は、ワイヤペア１８および２２を介してＰＤ４２に接続される、またはＰＳＥ４０は、最初に、電源をオンにされる。ＰＳＥ４０は、次いで、続くルーチンを自動的に実施し、これは、ＰＳＥ４０内の状態マシン、プログラムされたプロセッサ、または他の好適な回路によって制御されてもよい。
【００５１】
ステップ５６において、ＰＳＥのタイミングおよび処理回路５８は、事前判定された低電流を、ワイヤペア１８／２０を通して印加し、蓄電器４４を充電させるために、電流源６０を制御する。したがって、ＰＳＥ４０が電流を印加するにつれて、ワイヤペア１８／２０にわたる電圧は、図３に示されるように逓増する。電圧と、電流と、容量と、時間との間の対応は、方程式Ｃ＝ｉ＊ｔ／ｖによって与えられる。
【００５２】
ＰＳＥ４０内の比較器６２が、逓増電圧を、既知の参照電圧Ｖｒｅｆ（閾値電圧）と比較する。ステップ６４において、逓増がＶｒｅｆを超えると、比較器６２は、信号を、回路５８にトリガおよび印加する。
【００５３】
ステップ６６において、回路５８は、電流の開始と、電圧逓増がＶｒｅｆを超える時間との間の時間を測定する。図３は、回路５８によって測定される、Ｖｒｅｆを超える電圧逓増と、遅延時間Ｔｄとを示す。時間Ｔｄは、蓄電器４４の値に直接的に相関し、これは、ＰＤタイプに相関する。このＴｄ値は、電力供給源コントローラ６８に適用される。回路５８は、次いで、ワイヤペア１８／２０への電流の印加を中止するために、電流源６０を制御する。
【００５４】
ステップ７０において、時間Ｔｄは、ＴｄをＰＤ４２のＰｏＥ要件に相関させる、電力供給源コントローラ６８内のルックアップテーブルまたは他の回路に適用される。図３は、時間ｍからｎの範囲内のＴｄが、タイプ１ＰＤに相関し、時間ｘからｙの範囲内のＴｄが、タイプ２ＰＤに相関することを示す。タイプ毎のＴｄの範囲は、ワイヤペア１８／２０においてわずかな電圧降下が存在し、正確な電圧降下は、ワイヤペア１８／２０の長さが不明であることに起因して不明であるため、重要である。逓増電圧の特徴はまた、適切な入力容量値を有することによって、ＰＳＥ４０に、ＰＤ４２がＰｏＥ対応であることも伝達する。
【００５５】
ステップ７２において、スイッチコントローラ５１は、ＰＳＥ４０に伝達されるＰｏＥ情報に影響を及ぼすことなく、第１のスイッチ５０を閉鎖する。
【００５６】
ステップ７４において、電力供給源コントローラ６８は、全ＰｏＥ電圧（例えば、５７ボルト）をワイヤペア１８／２０に供給するために、ＰＳＥ電力供給源７６を制御する。コントローラ６８はまた、検出されるＰＤタイプと対応する、好適な電流制限回路および他の回路も実装する。そのような回路は、ＩＥＥＥ  ＰｏＥ規格によって規定される機能を実施してもよい。スイッチコントローラ５１は、この上昇したＰＳＥ電圧によって給電されてもよい。スイッチコントローラ５１は、ある閾値を超えるＰＳＥ電圧を検出し、第１のスイッチ５０を閉鎖してもよい。
【００５７】
ステップ７４においてもまた、ＰＤコントローラＩＣ７６は、ＵＶＬＯ回路を介して、ＰＳＥ電圧がある閾値を超えていることを検出し、ＰＳＥ電圧をコンバータ８０の入力に結合する、第２のスイッチ７８を閉鎖する。入力蓄電器８２は、過渡を切り替えるステップを円滑にする。コンバータ８０は、次いで、調整された電圧または電流を、ＰＤ負荷に供給する。コントローラＩＣ７６、コンバータ８０、および負荷は、従来型であってもよい。
【００５８】
蓄電器４４は、電圧がＤＣであるため、通常動作中にＰｏＥに悪影響を及ぼさない。蓄電器４４は、有利には、過渡をフィルタ処理するための付加的なフィルタとしての役割を果たす。しかしながら、蓄電器４４にとって、ＰＤの通常動作中に効果的に除去されることが望ましい場合、蓄電器４４と直列のスイッチが、スイッチ回路５１によって、スイッチ５０が閉鎖されると開放されるように制御されてもよい。
【００５９】
見られるように、検出および分類は、単一動作において同時に実施され、閾値への電圧の逓増は、非常に速く発生し得る。Ｔｄ時間は、任意の数の範囲に分割されてもよく、各範囲は、ＰＤのタイプまたはＰＤ特徴のセットを識別する。
【００６０】
代替実施形態では、回路５８は、固定時間の間、事前判定された電流を供給するために、電流源６０を制御する。結果として生じる電圧は、次いで、回路５８によって測定される。この電圧は、次いで、方程式Ｃ＝ｉ＊ｔ／ｖによって、容量値に対応する。検出された電圧は、次いで、ＰＤタイプに相互参照され、これは、蓄電器４４の値によって識別される。電力供給源７６および他の回路は、次いで、その特定のＰＤタイプのためのＩＥＥＥ規格に従って制御される。電圧は、ＰＤ４２についての任意の他の特徴を伝達してもよい。
【００６１】
代替実施形態では、ＰＳＥは、特定の周波数において正弦波電圧または電流を生成し、ワイヤペア１８／２０にわたるＡＣインピーダンスが、容量値を判定するために測定され、これは、前述のように、ＰＤのＰｏＥ要件を伝達する。ＡＣインピーダンスは、結果として生じる信号の振幅および相を測定することによって判定されてもよい。
【００６２】
ＰＳＥ４０が固定または時変電流もしくは電圧を印加するかどうかにかかわらず、蓄電器４４の値を識別するための任意の他の方法も、本発明によって想定される。
【００６３】
関連する実施形態では、既知の値を有する抵抗器が、蓄電器４４と直列に接続され、事前判定された正弦波ＡＣ信号が、ＰＳＥによってワイヤペア１８／２０に印加される。結果として生じる時定数は、次いで、結果として生じる信号から導出される。抵抗器の値および駆動信号は、ＰＳＥによって把握されるため、時定数は、ＰＤのＰｏＥ要件に対応する容量値を導出するために使用されることができる。
【００６４】
さらに、ＰＳＥに、ＰＤの任意の動作情報および／または要件を通信させるために、規格化された容量値のセットを使用するステップが、本発明によって想定される。動作情報は、限定ではないが、電力要件／分類、テレメトリ、識別等を含んでもよい。
【００６５】
本技法は、非ＰｏＥシステムにも適用され、ＰＤは、電力を、１つまたはそれを上回るデータラインを介して受信する。
【００６６】
図５−７は、代替実施形態を例証し、ＰＤ特徴は、ＰＤの前端における電圧制限回路の選択によって伝達される。
【００６７】
図５では、図２の蓄電器４４は、ツェナーダイオード８４に取って代わられ、その逆バイアス破壊電圧は、ＰＤのタイプ（例えば、タイプ１またはタイプ２）等のＰＤの関連するＰｏＥ情報を伝達する。シャント電圧調整器、ダイオードの直列接続、またはそれにわたる電圧が選択可能電圧に到達するときのみ伝導する他のデバイス等、任意の他の電圧制限デバイスが、ツェナーダイオード８４の代わりに使用されることができる。ＰＳＥ電圧は、５７ボルトと同程度の高さになり得るため、ツェナーダイオード８４の破壊電圧は、５７ボルトを上回るはずである、またはツェナーダイオード８４は、低電流ハンドシェイク段階の後、ＰＤ８５から切り替えられなくてはならない。ＰＤの通常動作中にツェナーダイオード８４を切り替えるステップは、スイッチ回路５１によって制御されるツェナーダイオード８４と直列のスイッチを用いて行われてもよく、スイッチは、スイッチ５０が閉鎖されると開放される。
【００６８】
図５の回路の動作の説明は、図７のフローチャートを参照して与えられる。
【００６９】
ステップ８６において、システム設計者またはユーザは、ツェナーダイオード８４（または他の電圧リミッタ）に、ＰＤタイプ（タイプ１またはタイプ２）に対応する適切な規格化された制限電圧値（例えば、電圧降下）を提供する。ツェナーダイオード８４は、下流回路がＰＳＥ８８によって検出される電圧降下に影響を及ぼさないように、第１のスイッチ５０によって下流ＰＤ回路から隔離される。第１のスイッチ５０のためのスイッチコントローラ５１が、ＰＳＥ８８が低電流検出／分類ルーチンを終えるまで、第１のスイッチ５０を開放したままに保つ。第１のスイッチ５０およびスイッチコントローラ５１は、いかなる下流回路も検出される電圧降下に影響を及ぼさないであろう場合、随意である。
【００７０】
ステップ９０において、ＰＳＥ８８は、ワイヤペア１８および２２を介してＰＤ８５に接続される。ＰＳＥ８８は、次いで、続くルーチンを自動的に実施し、これは、ＰＳＥ８８内の状態マシン、プログラムされたプロセッサ、または他の好適な回路によって制御されてもよい。
【００７１】
ステップ９２において、ＰＳＥの制御および処理回路９４は、事前判定された低電流を、ワイヤペア１８／２０を通して印加し、ツェナーダイオード８４に、事前判定された電圧において破壊させるように、電流源６０を制御する。図６は、ツェナーダイオード８４が、電流の印加に応じて、ワイヤペア１８／２０にわたって電圧降下Ｖｄを作成する方法を例証する。
【００７２】
ステップ９６において、回路９４は、電圧降下Ｖｄを測定する。電圧降下Ｖｄは、ＰＤタイプに直接的に相関する。このＶｄ値は、電力供給源コントローラ９８に適用される。回路９４は、次いで、ワイヤペア１８／２０への電流の印加を中止するために、電流源６０を制御する。
【００７３】
ステップ１００において、電圧降下Ｖｄは、ＶｄをＰＤ８５のＰｏＥ要件に相関させる、電力供給源コントローラ９８内のルックアップテーブルまたは他の回路に適用される。図６は、ｍからｎの範囲内のＶｄが、タイプ１ＰＤに相関し、ｘからｙの範囲内のＶｄが、タイプ２ＰＤに相関することを示す。タイプ毎のＶｄの範囲は、ワイヤペア１８／２０においてわずかな電圧降下が存在し、正確な電圧降下は、ワイヤペア１８／２０の長さが不明であることに起因して不明であるため、重要である。電圧降下は、同時に、適切な電圧降下値を有することによって、ＰＳＥ８８に、ＰＤ８５がＰｏＥ対応であることを伝達する。
【００７４】
ステップ１０２において、スイッチコントローラ５１は、ＰＳＥ８８に伝達されるＰｏＥ情報に影響を及ぼすことなく、随意の第１のスイッチ５０を閉鎖する。例えば、スイッチコントローラ５１は、低電流動作が中止していることを、電圧降下の終了を検出することによって検出してもよい、またはスイッチコントローラ５１は、（ステップ１０４の後）ある閾値を超えるＰＳＥ電圧を検出し、第１のスイッチ５０を閉鎖してもよい。
【００７５】
ステップ１０４において、電力供給源コントローラ９８は、全ＰｏＥ電圧（例えば、５７ボルト）をワイヤペア１８／２０に供給するために、ＰＳＥ電力供給源７６を制御する。コントローラ９８はまた、検出されるＰＤタイプと対応する、好適な電流制限回路および他の回路も実装する。そのような回路は、ＩＥＥＥ  ＰｏＥ規格によって規定される機能を実施してもよい。スイッチコントローラ５１は、この上昇したＰＳＥ電圧によって給電されてもよい。
【００７６】
ステップ１０４においてもまた、ＰＤコントローラＩＣ７６は、ＵＶＬＯ回路を介して、ＰＳＥ電圧がある閾値を超えていることを検出し、ＰＳＥ電圧をコンバータ８０の入力に結合する、第２のスイッチ７８を閉鎖する。入力蓄電器８２は、過渡を切り替えるステップを円滑にする。コンバータ８０は、次いで、調整された電圧または電流を、ＰＤ負荷に供給する。コントローラＩＣ７６、コンバータ８０、および負荷は、従来型であってもよい。
【００７７】
見られるように、検出および分類は、単一動作において実施され、電圧降下の検出は、非常に速く発生し得る。電圧降下は、任意の数の範囲に分割されてもよく、各範囲は、ＰＤのタイプまたはＰＤ特徴のセットを識別する。
【００７８】
別の実施形態では、ＰＳＥは、逓増電圧を生成し、電圧が、ＰＤ内の電圧制限デバイスによって制限されるようになる前にかかる時間は、ＰＤタイプを判定する、または他の情報を伝達する。
【００７９】
図８−１０は、別の実施形態を例証し、ＰＳＥによってワイヤペア１８／２０内に生成される逓増電圧は、ＰＤの入力において選択される抵抗に、逓増電流を引き込ませる。抵抗は、Ｐｄのタイプに対応する。検出される電流がある閾値を超える時点における電圧レベルは、ＰＤのタイプに相関する。代替として、固定された電圧が、ワイヤペア１８／２０に印加されてもよく、結果として生じる電流は、ＰＤのタイプを判定するために使用される。
【００８０】
図８では、図２の蓄電器４４は、抵抗器１０６に取って代わられ、その値は、ＰＤのタイプ（例えば、タイプ１またはタイプ２）等のＰＤの関連するＰｏＥ情報を伝達する。抵抗器１０６は、低電流ハンドシェイク段階の後、ＰＤ１０８から切り替えられてもよい。これは、スイッチ回路５１によって制御される抵抗器１０６と直列のスイッチを用いて行われてもよく、スイッチは、スイッチ５０が閉鎖されると開放される。
【００８１】
図８の回路の動作の説明は、図１０のフローチャートを参照して与えられる。
【００８２】
ステップ１１０において、システム設計者またはユーザは、抵抗器１０６に、ＰＤタイプ（タイプ１またはタイプ２）に対応する規格化された値を提供する。抵抗器１０６は、好ましくは、高値の抵抗器である。抵抗器１０６は、下流回路がＰＳＥ１１２によって検出される電流に影響を及ぼさないように、第１のスイッチ５０によって下流ＰＤ回路から隔離される。第１のスイッチ５０のためのスイッチコントローラ５１が、ＰＳＥ１１２が低電流検出／分類ルーチンを終えるまで、第１のスイッチ５０を開放したままに保つ。第１のスイッチ５０およびスイッチコントローラ５１は、いかなる下流回路も検出される電流に影響を及ぼさないであろう場合、随意である。
【００８３】
ステップ１１４において、ＰＳＥ１１２は、ワイヤペア１８および２２を介してＰＤ１０８に接続される、またはＰＳＥ１１２は、電源をオンにされる。ＰＳＥ１１２は、次いで、続くルーチンを自動的に実施し、これは、ＰＳＥ１１２内の状態マシン、プログラムされたプロセッサ、または他の好適な回路によって制御されてもよい。
【００８４】
ステップ１１６において、ＰＳＥの制御および処理回路１１８は、逓増された電圧を、ワイヤペア１８／２０に印加し、逓増電流を、抵抗器１０６を通して流れさせるために、可変電圧源１２０を制御する。
【００８５】
ステップ１２０において、ＰＳＥ１１２内の低値の抵抗器１２２を通した電流は、差異増幅器１２４によって検出され、比較器１２６は、電流値を参照電圧Ｖｒｅｆと比較する。電流が閾値を超えると、比較器１２６は、信号を回路１１８に送信する。逓増電圧もまた検出する回路１１８は、電流が事前判定された閾値に到達する時点において、電圧値Ｖを識別する。サンプルホールド回路が、電圧値を記憶するために使用されてもよい。抵抗器１０６の値は、したがって、Ｒ＝Ｖ／Ｉによって判定される。
【００８６】
ステップ１２８において、電圧値Ｖは、次いで、電力供給源コントローラ１３０に適用される。電圧値は、ＶをＰＤ１０８のＰｏＥ要件に相関させる、電力供給源コントローラ１３０内のルックアップテーブルまたは他の回路に適用される。図９は、ｍからｎの範囲内のＶが、タイプ１ＰＤに相関し、ｘからｙの範囲内のＶが、タイプ２ＰＤに相関することを示す。タイプ毎のＶの範囲は、ワイヤペア１８／２０においてわずかな電圧降下が存在し、正確な電圧降下は、ワイヤペア１８／２０の長さが不明であることに起因して不明であるため、重要である。電圧値はまた、同時に、適切な電圧値を有することによって、ＰＳＥ１１２に、ＰＤ１０８がＰｏＥ対応であることも伝達する。
【００８７】
ステップ１３２において、スイッチコントローラ５１は、ＰＳＥ１１２に伝達されるＰｏＥ情報に影響を及ぼすことなく、随意の第１のスイッチ５０を閉鎖する。例えば、スイッチコントローラ５１は、低電流動作が中止していることを、電圧の終了を検出することによって検出してもよい、またはスイッチコントローラ５１は、（ステップ１３４の後）ある閾値を超えるＰＳＥ電圧を検出し、第１のスイッチ５０を閉鎖してもよい。
【００８８】
ステップ１３４において、電力供給源コントローラ１３０は、全ＰｏＥ電圧（例えば、５７ボルト）をワイヤペア１８／２０に供給するために、ＰＳＥ電力供給源７６を制御する。コントローラ１３０はまた、検出されるＰＤタイプと対応する、好適な電流制限回路および他の回路も実装する。そのような回路は、ＩＥＥＥ  ＰｏＥ規格によって規定される機能を実施してもよい。スイッチコントローラ５１は、この上昇したＰＳＥ電圧によって給電されてもよい。
【００８９】
ステップ１３４においてもまた、ＰＤコントローラＩＣ７６は、ＵＶＬＯ回路を介して、ＰＳＥ電圧がある閾値を超えていることを検出し、ＰＳＥ電圧をコンバータ８０の入力に結合する、第２のスイッチ７８を閉鎖する。入力蓄電器８２は、過渡を切り替えるステップを円滑にする。コンバータ８０は、次いで、調整された電圧または電流を、ＰＤ負荷に供給する。コントローラＩＣ７６、コンバータ８０、および負荷は、従来型であってもよい。
【００９０】
見られるように、検出および分類は、単一動作において実施され、電圧Ｖの検出は、非常に迅速に生じ得る。電圧値は、任意の数の範囲に分割されてもよく、各範囲は、ＰＤのタイプまたはＰＤ特徴のセットを識別する。種々の実施形態では、特定の時間における、蓄電器４４、ツェナーダイオード８４、または抵抗器１０６の値からもたらされる、単一の検出された信号のアナログ振幅の大きさは、ＰＤについての情報を判定する。特定の時間は、信号がある閾値を超えるとき、または電流がワイヤペアに印加された後の時間においてであってもよい。従来型ＰｏＥシステムでは、ＰＤのＰｏＥ特徴は、本質的に、デジタル的に伝達され、したがって、ハンドシェイクプロセスは、より複雑かつ時間がかかる。
【００９１】
別の実施形態では、ＰＳＥは、逓増電流を生成し、電圧が事前判定された閾値を超える時間における電流は、ＰＤタイプを判定するために使用される、または他の情報を伝達する。
【００９２】
本開示全体を通して説明される特徴のいずれかが、組み合わせられてもよい。例えば、抵抗器が、Ｖ／Ｉ波形に基づいて、付加的な情報を伝達するために、電圧制限デバイスまたは蓄電器と並列に接続されてもよい。
【００９３】
他の好適な要素が、ＰＤの特定のＰｏＥ特徴に対応する、特徴的な電流、電圧、または時間を提供するために、蓄電器４４、ツェナーダイオード８４、および抵抗器１０６の代わりに使用されてもよい。
【００９４】
検出および分類を実施するための、この高速単一ステップ技法は、全動作電圧をデータワイヤに対して印加する前に、ハンドシェイクを要求する任意のシステムに適用されることができる。
【００９５】
ＰＤが、蓄電器４４、ツェナーダイオード８４、抵抗器１０６、またはワイヤペア１８／２０にわたって接続される任意の他の好適な回路の使用によって、ＰＳＥにＰｏＥ情報を伝達することに加えて、ＰＤはまた、ＰＳＥの低電流信号から、ＰＳＥが、ＰＤのＰｏＥ要件と互換性があるＰＳＥのあるタイプであることを検出してもよい。いったんＰＤによって、ＰＳＥが適切なＰＳＥであることが確立されると、ＰＤは、ＰｏＥ電圧を受信するために、第１のスイッチ５０を閉鎖してもよい。例えば、ＰＤは、ＰＳＥが互換性であることを示す、特定の固定電流、逓増電圧等を探してもよい。
【００９６】
本発明の特定の実施形態が示され、説明されているが、変更および修正が、そのより広い側面において、本発明から逸脱することなく成され得、したがって、添付される請求項は、本発明の真の精神および範囲内である、全てのそのような変更および修正を、それらの範囲内に包含すべきであることが、当業者に明白となるであろう。
（項目Ａ１）
パワーオーバーイーサネット（登録商標）（ＰｏＥ）システムであって、
データおよび電圧をイーサネット（登録商標）ワイヤを経由して提供する給電機器（ＰＳＥ）であって、上記ＰＳＥは、上記イーサネット（登録商標）ワイヤ上での伝送のためのＰｏＥ電圧を生成するための、電圧源を有する、給電機器（ＰｏＥ）と、
上記データおよび電圧を受信するために、少なくとも上記イーサネット（登録商標）ワイヤによって上記ＰＳＥに接続される受電デバイス（ＰＤ）であって、上記ＰＤは、上記ＰＤの入力端末に電気的に結合される、第１の回路を備え、上記第１の回路は、特徴を有し、上記第１の回路は、事前判定された様式において、第２の信号を作成するために、上記ＰＳＥによって生成された第１の信号に応答し、上記第１の回路は、上記ＰＤの特定のＰｏＥ要件を伝達するために選択される、受電デバイス（ＰＤ）と、
を備え、
上記ＰＳＥはさらに、
特定の時間に、上記イーサネット（登録商標）ワイヤ上の第１の信号を、上記ＰＤの入力端末に提供する、第１の信号ジェネレータであって、上記第１の信号は、上記ＰＤ内の第１の回路に印加される、第１の信号ジェネレータと、
上記第１の信号に応答して、上記ＰＤ内の第１の回路によって生成される、上記結果として生じる第２の信号の可変アナログ振幅を検出する、第１の検出器と、
ある経過時間後に、かつ上記経過時間後に検出される大きさに応答して、上記第２の信号の可変振幅の大きさを検出することと、上記第２の信号を、上記ＰＤの特定のＰｏＥ要件と関連付けることと、イーサネット（登録商標）ワイヤを介して、上記第２の信号によって伝達される、上記ＰＤのＰｏＥ要件に準拠する上記ＰＤに電力を供給するように上記ＰＳＥを制御することとを行うように構成される処理回路と、
を備える、システム。
（項目Ａ２）
上記ＰＤがＰｏＥ対応デバイスである検出と、上記ＰＤの分類とは、上記第２の信号の検出によって同時に実施される、項目Ａ１に記載のシステム。
（項目Ａ３）
上記第１の信号は、固定電流であり、上記第１の回路は、蓄電器であり、上記第２の信号は、逓増電圧であり、上記蓄電器の容量値は、上記ＰＤのＰｏＥ要件を伝達するために選択される、項目Ａ１に記載のシステム。
（項目Ａ４）
上記処理回路は、
上記逓増電圧がある閾値電圧を超えるときを判定するように接続される、比較器と、
上記第１の信号を生成することと上記逓増電圧が上記閾値電圧を超えるときの時間との間の時間を検出するように構成される、タイマ回路と、
イーサネット（登録商標）ワイヤを介して、上記第２の信号によって伝達される、上記ＰＤのＰｏＥ要件に準拠する上記ＰＤに電力を供給するように上記ＰＳＥを制御するための、コントローラ回路と
を備える、項目Ａ３に記載のシステム。
（項目Ａ５）
上記第１の信号は、逓増電圧であり、上記第１の回路は、抵抗器であり、上記第２の信号は、逓増電流であり、上記抵抗器の値は、上記ＰＤのＰｏＥ要件を伝達するために選択され、上記処理回路は、
上記逓増電流がある閾値を超えるときを判定するように接続される、比較器と、
上記逓増電流が上記閾値を超えると、上記逓増電圧の第１の電圧を検出するように構成される、検出器と、
イーサネット（登録商標）ワイヤを介して、上記第１の電圧によって伝達される、上記ＰＤのＰｏＥ要件に準拠する上記ＰＤに電力を供給するように上記ＰＳＥを制御するための、コントローラ回路と、
を備える、項目Ａ１に記載のシステム。
（項目Ａ６）
上記第１の信号は、逓増電流であり、上記第１の回路は、抵抗器であり、上記第２の信号は、逓増電圧であり、上記抵抗器の値は、上記ＰＤのＰｏＥ要件を伝達するために選択され、
上記処理回路は、
上記逓増電圧がある閾値を超えるときを判定するように接続される、比較器と、
上記逓増電圧が上記閾値を超えると、上記逓増電流の第１の電流を検出するように構成される、検出器と、
イーサネット（登録商標）ワイヤを介して、上記第１の電流によって伝達される、上記ＰＤのＰｏＥ要件に準拠する上記ＰＤに電力を供給するように上記ＰＳＥを制御するための、コントローラ回路と、
を備える、項目Ａ１に記載のシステム。
（項目Ａ７）
上記第１の検出器は、上記第２の信号がある閾値を超えると、上記結果として生じる第２の信号のタイミングを検出するように構成され、上記処理回路は、上記タイミングを上記ＰＤのＰｏＥ要件に関連付けることと、イーサネット（登録商標）ワイヤを介して、上記タイミングによって伝達される、上記ＰＤのＰｏＥ要件に準拠する上記ＰＤに電力を供給するように上記ＰＳＥを制御することとを行うように構成される、項目Ａ１に記載のシステム。
（項目Ａ８）
上記第１の検出器は、特定の時点において、上記結果として生じる第２の信号の大きさを検出するように構成され、上記処理回路は、上記大きさを上記ＰＤのＰｏＥ要件に関連付けることと、イーサネット（登録商標）ワイヤを介して、上記大きさによって伝達される、上記ＰＤのＰｏＥ要件に準拠する上記ＰＤに電力を供給するように上記ＰＳＥを制御することとを行うように構成される、項目Ａ１に記載のシステム。
（項目Ａ９）
上記第１の信号は、固定大きさ信号である、項目Ａ１に記載のシステム。
（項目Ａ１０）
上記第１の信号は、時変信号である、項目Ａ１に記載のシステム。
（項目Ａ１１）
上記第１の回路は、上記ＰＤ内で直列に接続される、抵抗器と蓄電器とを備え、上記第１の信号は、時変信号であり、上記第１の検出器は、上記第１の回路の結果として生じる時定数を検出し、上記容量値は、イーサネット（登録商標）ワイヤを介して、上記容量値によって伝達される、上記ＰＤのＰｏＥ要件に準拠する上記ＰＤに電力を供給するように上記ＰＳＥを制御するために、上記時定数から判定される、項目Ａ１に記載のシステム。
（項目Ａ１２）
上記処理回路は、ＰｏＥのためのＩＥＥＥ規格に従って、タイプ１およびタイプ２を含む、ＰＤタイプを判定するように構成される、項目Ａ１に記載のシステム。
（項目Ａ１３）
上記ＰＳＥによって検出される上記第１の回路の特徴に影響を及ぼし得る、上記ＰＤ内の下流回路から、上記第１の回路を隔離する、上記ＰＤ内の第１のスイッチと、
上記ＰＳＥが上記ＰＤのＰｏＥ要件を判定した後のみ、上記下流回路を、上記ＰＤの入力端末に接続するように、上記第１のスイッチを閉鎖するように構成される、第１のスイッチコントローラと、
をさらに備える、項目Ａ１に記載のシステム。
（項目Ａ１４）
上記ＰＤはさらに、
上記ＰＳＥがある閾値を超えるＰｏＥ電圧を供給しているかどうかを判定する、低電圧ロックアウト（ＵＶＬＯ）回路と、
上記ＰｏＥ電圧が上記閾値を超えると、ＵＶＬＯ回路によって閉鎖されるように制御される、スイッチと、
上記スイッチが上記ＰｏＥ電圧を調整するために閉鎖されるとき、上記ＰｏＥ電圧を受信するために接続される、ＰＤコンバータと、
上記ＰＤコンバータによって給電される、ＰＤ負荷と、
を備え、
上記ＰｏＥ電圧は、上記ＰＳＥが上記ＰＤのＰｏＥ要件を判定した後のみ、上記ＰＳＥによって提供される、項目Ａ１に記載のシステム。
（項目Ａ１５）
上記第１の回路は、上記イーサネット（登録商標）ワイヤにわたって接続される、項目Ａ１に記載のシステム。
（項目Ａ１６）
上記ＰＳＥが上記ＰＤのＰｏＥ要件を判定した後、上記第１の回路を上記イーサネット（登録商標）ワイヤから切断するために接続される、スイッチをさらに備える、項目Ａ１５に記載のシステム。
（項目Ａ１７）
パワーオーバーイーサネット（登録商標）（ＰｏＥ）システムであって、
データおよび電圧をイーサネット（登録商標）ワイヤを経由して提供する給電機器（ＰＳＥ）であって、上記ＰＳＥは、上記イーサネット（登録商標）ワイヤ上での伝送のためのＰｏＥ電圧を生成するための電圧源を有する、給電機器（ＰｏＥ）と、
上記データおよび電圧を受信するために、少なくとも上記イーサネット（登録商標）ワイヤによって上記ＰＳＥに接続される受電デバイス（ＰＤ）であって、上記ＰＤは、上記ＰＤの入力端末に電気的に結合される、第１の回路を備え、上記第１の回路は、特徴を備え、上記第１の回路は、事前判定された様式において、第２の信号を作成するために、上記ＰＳＥによって生成された第１の信号に応答し、上記第１の回路は、上記ＰＤの特定のＰｏＥ要件を伝達するために選択される、受電デバイス（ＰＤ）と、
を備え、
上記ＰＳＥはさらに、
特定の時間に、上記イーサネット（登録商標）ワイヤ上の第１の信号を、上記ＰＤの入力端末に提供する、第１の信号ジェネレータであって、上記第１の信号は、上記ＰＤ内の第１の回路に印加される、第１の信号ジェネレータと、
上記第１の信号に応答して、上記ＰＤ内の第１の回路によって生成される、電圧が制限された第２の信号を検出する、第１の検出器と、
上記第２の信号の検出される大きさに応答して、上記第２の信号の制限された電圧を検出することと、上記第２の信号を、上記ＰＤの特定のＰｏＥ要件と関連付けることと、イーサネット（登録商標）ワイヤを介して、上記第２の信号によって伝達される、上記ＰＤのＰｏＥ要件に準拠する上記ＰＤに電力を供給するように上記ＰＳＥを制御することとを行うように構成される処理回路と、
を備える、パワーオーバーイーサネット（登録商標）（ＰｏＥ）システム。
（項目Ａ１８）
上記第１の信号は、固定電流であり、上記第１の回路は、電圧制限回路であり、上記第２の信号は、制限された電圧であり、上記電圧制限回路のリミット電圧は、上記ＰＤのＰｏＥ要件を伝達するために選択される、項目Ａ１７に記載のシステム。
（項目Ａ１９）
上記処理回路は、
上記固定電流信号に応答して、上記電圧制限回路によって制限された電圧を検出するように構成される、第１の検出器と、
イーサネット（登録商標）ワイヤを介して、上記制限された電圧によって伝達される、上記ＰＤのＰｏＥ要件に準拠する上記ＰＤに電力を供給するように上記ＰＳＥを制御するための、コントローラ回路と、
を備える、項目Ａ１８に記載のシステム。
（項目Ａ２０）
上記電圧制限回路は、ツェナーダイオードである、項目Ａ１８に記載のシステム。
（項目Ａ２１）
上記第１の信号は、逓増電圧であり、上記第１の回路は、電圧制限回路であり、上記第２の信号は、制限された電圧であり、上記電圧制限回路のリミット電圧は、上記ＰＤのＰｏＥ要件を伝達するために選択される、項目Ａ１７に記載のシステム。
（項目Ａ２２）
上記処理回路は、
上記逓増電圧信号に応答して、上記電圧制限回路によって制限された電圧を検出するように構成される、第１の検出器と、
イーサネット（登録商標）ワイヤを介して、上記制限された電圧によって伝達される、上記ＰＤのＰｏＥ要件に準拠する上記ＰＤに電力を供給するように上記ＰＳＥを制御するための、コントローラ回路と、
を備える、項目Ａ２１に記載のシステム。
【図１】
2016535330.tif 000003
【図２】
2016535330.tif 000004
【図３】
2016535330.tif 000005
【図４】
2016535330.tif 000006
【図５】
2016535330.tif 000007
【図６】
2016535330.tif 000008
【図７】
2016535330.tif 000009
【図８】
2016535330.tif 000010
【図９】
2016535330.tif 000011
【図１０】
2016535330.tif 000012
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
パワーオーバーイーサネット（登録商標）（ＰｏＥ）システムであって、
データおよび電圧をイーサネット（登録商標）ワイヤを経由して提供する給電機器（ＰＳＥ）であって、前記ＰＳＥは、前記イーサネット（登録商標）ワイヤ上での伝送のためのＰｏＥ電圧を生成するための、電圧源を有する、給電機器（ＰｏＥ）と、
前記データおよび電圧を受信するために、少なくとも前記イーサネット（登録商標）ワイヤによって前記ＰＳＥに接続される受電デバイス（ＰＤ）であって、前記ＰＤは、前記ＰＤの入力端末に電気的に結合される、第１の回路を備え、前記第１の回路は、特徴を有し、前記第１の回路は、事前判定された様式において、第２の信号を作成するために、前記ＰＳＥによって生成された第１の信号に応答し、前記第１の回路は、前記ＰＤの特定のＰｏＥ要件を伝達するために選択される、受電デバイス（ＰＤ）と
を備え、
前記ＰＳＥはさらに、
特定の時間に、前記イーサネット（登録商標）ワイヤ上の第１の信号を、前記ＰＤの入力端末に提供する、第１の信号ジェネレータであって、前記第１の信号は、前記ＰＤ内の第１の回路に印加される、第１の信号ジェネレータと、
前記第１の信号に応答して、かつ前記ＰＤ内の前記第１の回路に対する前記第１の信号の印加の間に、前記ＰＤ内の第１の回路によって生成される、前記結果として生じる第２の信号の逓増アナログ振幅を検出する、第１の検出器と、
ある経過時間後に、かつ前記経過時間後に検出される大きさに応答して、前記第２の信号が逓増している間に、前記第２の信号の逓増振幅の大きさを検出することと、前記第２の信号を、前記ＰＤの特定のＰｏＥ要件と関連付けることと、イーサネット（登録商標）ワイヤを介して、前記第２の信号によって伝達される、前記ＰＤのＰｏＥ要件に準拠する前記ＰＤに電力を供給するように前記ＰＳＥを制御することとを行うように構成される処理回路と
を備える、システム。
【請求項２】
前記ＰＤがＰｏＥ対応デバイスである検出と、前記ＰＤの分類とは、前記第２の信号の検出によって同時に実施される、請求項１に記載のシステム。
【請求項３】
前記第１の信号は、固定電流であり、前記第１の回路は、蓄電器であり、前記第２の信号は、逓増電圧であり、前記蓄電器の容量値は、前記ＰＤのＰｏＥ要件を伝達するために選択される、請求項１に記載のシステム。
【請求項４】
前記処理回路は、
前記逓増電圧がある閾値電圧を超えるときを判定するように接続される、比較器と、
前記第１の信号を生成することと前記逓増電圧が前記閾値電圧を超えるときの時間との間の時間を検出するように構成される、タイマ回路と、
イーサネット（登録商標）ワイヤを介して、前記第２の信号によって伝達される、前記ＰＤのＰｏＥ要件に準拠する前記ＰＤに電力を供給するように前記ＰＳＥを制御するための、コントローラ回路と
を備える、請求項３に記載のシステム。
【請求項５】
前記第１の信号は、逓増電圧であり、前記第１の回路は、抵抗器であり、前記第２の信号は、逓増電流であり、前記抵抗器の値は、前記ＰＤのＰｏＥ要件を伝達するために選択され、前記処理回路は、
前記逓増電流がある閾値を超えるときを判定するように接続される、比較器と、
前記逓増電流が前記閾値を超えると、前記逓増電圧の第１の電圧を検出するように構成される、検出器と、
イーサネット（登録商標）ワイヤを介して、前記第１の電圧によって伝達される、前記ＰＤのＰｏＥ要件に準拠する前記ＰＤに電力を供給するように前記ＰＳＥを制御するための、コントローラ回路と
を備える、請求項１に記載のシステム。
【請求項６】
前記第１の信号は、逓増電流であり、前記第１の回路は、抵抗器であり、前記第２の信号は、逓増電圧であり、前記抵抗器の値は、前記ＰＤのＰｏＥ要件を伝達するために選択され、
前記処理回路は、
前記逓増電圧がある閾値を超えるときを判定するように接続される、比較器と、
前記逓増電圧が前記閾値を超えると、前記逓増電流の第１の電流を検出するように構成される、検出器と
イーサネット（登録商標）ワイヤを介して、前記第１の電流によって伝達される、前記ＰＤのＰｏＥ要件に準拠する前記ＰＤに電力を供給するように前記ＰＳＥを制御するための、コントローラ回路と
を備える、請求項１に記載のシステム。
【請求項７】
前記第１の検出器は、前記第２の信号がある閾値を超えると、前記結果として生じる第２の信号のタイミングを検出するように構成され、前記処理回路は、前記タイミングを前記ＰＤのＰｏＥ要件に関連付けることと、イーサネット（登録商標）ワイヤを介して、前記タイミングによって伝達される、前記ＰＤのＰｏＥ要件に準拠する前記ＰＤに電力を供給するように前記ＰＳＥを制御することとを行うように構成される、請求項１に記載のシステム。
【請求項８】
前記第１の検出器は、特定の時点において、前記結果として生じる第２の信号の大きさを検出するように構成され、前記処理回路は、前記大きさを前記ＰＤのＰｏＥ要件に関連付けることと、イーサネット（登録商標）ワイヤを介して、前記大きさによって伝達される、前記ＰＤのＰｏＥ要件に準拠する前記ＰＤに電力を供給するように前記ＰＳＥを制御することとを行うように構成される、請求項１に記載のシステム。
【請求項９】
前記第１の信号は、固定大きさ信号である、請求項１に記載のシステム。
【請求項１０】
前記第１の信号は、時変信号である、請求項１に記載のシステム。
【請求項１１】
前記第１の回路は、前記ＰＤ内で直列に接続される、抵抗器と蓄電器とを備え、前記第１の信号は、時変信号であり、前記第１の検出器は、前記第１の回路の結果として生じる時定数を検出し、前記容量値は、イーサネット（登録商標）ワイヤを介して、前記容量値によって伝達される、前記ＰＤのＰｏＥ要件に準拠する前記ＰＤに電力を供給するように前記ＰＳＥを制御するために、前記時定数から判定される、請求項１に記載のシステム。
【請求項１２】
前記ＰＳＥによって検出される前記第１の回路の特徴に影響を及ぼし得る、前記ＰＤ内の下流回路から、前記第１の回路を隔離する、前記ＰＤ内の第１のスイッチと、
前記ＰＳＥが前記ＰＤのＰｏＥ要件を判定した後のみ、前記下流回路を、前記ＰＤの入力端末に接続するように、前記第１のスイッチを閉鎖するように構成される、第１のスイッチコントローラと
をさらに備える、請求項１に記載のシステム。
【請求項１３】
前記ＰＤはさらに、
前記ＰＳＥがある閾値を超えるＰｏＥ電圧を供給しているかどうかを判定する、低電圧ロックアウト（ＵＶＬＯ）回路と、
前記ＰｏＥ電圧が前記閾値を超えると、ＵＶＬＯ回路によって閉鎖されるように制御される、スイッチと、
前記スイッチが前記ＰｏＥ電圧を調整するために閉鎖されるとき、前記ＰｏＥ電圧を受信するために接続される、ＰＤコンバータと、
前記ＰＤコンバータによって給電される、ＰＤ負荷と
を備え、
前記ＰｏＥ電圧は、前記ＰＳＥが前記ＰＤのＰｏＥ要件を判定した後のみ、前記ＰＳＥによって提供される、請求項１に記載のシステム。
【請求項１４】
前記第１の回路は、前記イーサネット（登録商標）ワイヤにわたって接続され、
前記ＰＳＥが前記ＰＤのＰｏＥ要件を判定した後、前記第１の回路を前記イーサネット（登録商標）ワイヤから切断するために接続される、スイッチをさらに備える、請求項１に記載のシステム。
【請求項１５】
パワーオーバーイーサネット（登録商標）（ＰｏＥ）システムであって、
データおよび電圧をイーサネット（登録商標）ワイヤを経由して提供する給電機器（ＰＳＥ）であって、前記ＰＳＥは、前記イーサネット（登録商標）ワイヤ上での伝送のためのＰｏＥ電圧を生成するための電圧源を有する、給電機器（ＰｏＥ）と、
前記データおよび電圧を受信するために、少なくとも前記イーサネット（登録商標）ワイヤによって前記ＰＳＥに接続される受電デバイス（ＰＤ）であって、前記ＰＤは、前記ＰＤの入力端末に電気的に結合される、ツェナーダイオードを備え、前記ツェナーダイオードは、事前判定された様式において、電圧が制限された信号を作成するために、前記ＰＳＥによって生成された第１の信号に応答し、前記ツェナーダイオードは、前記ＰＤの特定のＰｏＥ要件を伝達するために選択される、受電デバイス（ＰＤ）と
を備え、
前記ＰＳＥはさらに、
特定の時間に、前記イーサネット（登録商標）ワイヤ上の第１の信号を、前記ＰＤの入力端末に提供する、第１の信号ジェネレータであって、前記第１の信号は、前記ＰＤ内のツェナーダイオードに印加される、第１の信号ジェネレータと、
前記第１の信号に応答して、前記ＰＤ内のツェナーダイオードによって生成される、前記電圧が制限された信号を検出する、第１の検出器と、
前記電圧が制限された信号の検出される大きさに応答して、前記電圧が制限された信号を検出することと、前記電圧が制限された信号を、前記ＰＤの特定のＰｏＥ要件と関連付けることと、イーサネット（登録商標）ワイヤを介して、前記電圧が制限された信号によって伝達される、前記ＰＤのＰｏＥ要件に準拠する前記ＰＤに電力を供給するように前記ＰＳＥを制御することとを行うように構成される処理回路と
を備える、パワーオーバーイーサネット（登録商標）（ＰｏＥ）システム。
【手続補正２】
【補正対象書類名】明細書
【補正対象項目名】００３２
【補正方法】変更
【補正の内容】
【００３２】
ＰＳＥおよびＰＤという用語は、電力を供給する機器と、電力を受信する機器とを識別するために、本開示全体を通して使用され、そのような機器／デバイスは、規定されない限り、イーサネット（登録商標）機器／デバイスに限定されない。
本発明は、例えば、以下を提供する。
（項目Ｂ１）
パワーオーバーイーサネット（登録商標）（ＰｏＥ）システムであって、
データおよび電圧をイーサネット（登録商標）ワイヤを経由して提供する給電機器（ＰＳＥ）であって、上記ＰＳＥは、上記イーサネット（登録商標）ワイヤ上での伝送のためのＰｏＥ電圧を生成するための、電圧源を有する、給電機器（ＰｏＥ）と、
上記データおよび電圧を受信するために、少なくとも上記イーサネット（登録商標）ワイヤによって上記ＰＳＥに接続される受電デバイス（ＰＤ）であって、上記ＰＤは、上記ＰＤの入力端末に電気的に結合される、第１の回路を備え、上記第１の回路は、特徴を有し、上記第１の回路は、事前判定された様式において、第２の信号を作成するために、上記ＰＳＥによって生成された第１の信号に応答し、上記第１の回路は、上記ＰＤの特定のＰｏＥ要件を伝達するために選択される、受電デバイス（ＰＤ）と
を備え、
上記ＰＳＥはさらに、
特定の時間に、上記イーサネット（登録商標）ワイヤ上の第１の信号を、上記ＰＤの入力端末に提供する、第１の信号ジェネレータであって、上記第１の信号は、上記ＰＤ内の第１の回路に印加される、第１の信号ジェネレータと、
上記第１の信号に応答して、かつ上記ＰＤ内の上記第１の回路に対する上記第１の信号の印加の間に、上記ＰＤ内の第１の回路によって生成される、上記結果として生じる第２の信号の逓増アナログ振幅を検出する、第１の検出器と、
ある経過時間後に、かつ上記経過時間後に検出される大きさに応答して、上記第２の信号が逓増している間に、上記第２の信号の逓増振幅の大きさを検出することと、上記第２の信号を、上記ＰＤの特定のＰｏＥ要件と関連付けることと、イーサネット（登録商標）ワイヤを介して、上記第２の信号によって伝達される、上記ＰＤのＰｏＥ要件に準拠する上記ＰＤに電力を供給するように上記ＰＳＥを制御することとを行うように構成される処理回路と
を備える、システム。
（項目Ｂ２）
上記ＰＤがＰｏＥ対応デバイスである検出と、上記ＰＤの分類とは、上記第２の信号の検出によって同時に実施される、項目Ｂ１に記載のシステム。
（項目Ｂ３）
上記第１の信号は、固定電流であり、上記第１の回路は、蓄電器であり、上記第２の信号は、逓増電圧であり、上記蓄電器の容量値は、上記ＰＤのＰｏＥ要件を伝達するために選択される、項目Ｂ１に記載のシステム。
（項目Ｂ４）
上記処理回路は、
上記逓増電圧がある閾値電圧を超えるときを判定するように接続される、比較器と、
上記第１の信号を生成することと上記逓増電圧が上記閾値電圧を超えるときの時間との間の時間を検出するように構成される、タイマ回路と、
イーサネット（登録商標）ワイヤを介して、上記第２の信号によって伝達される、上記ＰＤのＰｏＥ要件に準拠する上記ＰＤに電力を供給するように上記ＰＳＥを制御するための、コントローラ回路と
を備える、項目Ｂ３に記載のシステム。
（項目Ｂ５）
上記第１の信号は、逓増電圧であり、上記第１の回路は、抵抗器であり、上記第２の信号は、逓増電流であり、上記抵抗器の値は、上記ＰＤのＰｏＥ要件を伝達するために選択され、上記処理回路は、
上記逓増電流がある閾値を超えるときを判定するように接続される、比較器と、
上記逓増電流が上記閾値を超えると、上記逓増電圧の第１の電圧を検出するように構成される、検出器と、
イーサネット（登録商標）ワイヤを介して、上記第１の電圧によって伝達される、上記ＰＤのＰｏＥ要件に準拠する上記ＰＤに電力を供給するように上記ＰＳＥを制御するための、コントローラ回路と
を備える、項目Ｂ１に記載のシステム。
（項目Ｂ６）
上記第１の信号は、逓増電流であり、上記第１の回路は、抵抗器であり、上記第２の信号は、逓増電圧であり、上記抵抗器の値は、上記ＰＤのＰｏＥ要件を伝達するために選択され、
上記処理回路は、
上記逓増電圧がある閾値を超えるときを判定するように接続される、比較器と、
上記逓増電圧が上記閾値を超えると、上記逓増電流の第１の電流を検出するように構成される、検出器と
イーサネット（登録商標）ワイヤを介して、上記第１の電流によって伝達される、上記ＰＤのＰｏＥ要件に準拠する上記ＰＤに電力を供給するように上記ＰＳＥを制御するための、コントローラ回路と
を備える、項目Ｂ１に記載のシステム。
（項目Ｂ７）
上記第１の検出器は、上記第２の信号がある閾値を超えると、上記結果として生じる第２の信号のタイミングを検出するように構成され、上記処理回路は、上記タイミングを上記ＰＤのＰｏＥ要件に関連付けることと、イーサネット（登録商標）ワイヤを介して、上記タイミングによって伝達される、上記ＰＤのＰｏＥ要件に準拠する上記ＰＤに電力を供給するように上記ＰＳＥを制御することとを行うように構成される、項目Ｂ１に記載のシステム。
（項目Ｂ８）
上記第１の検出器は、特定の時点において、上記結果として生じる第２の信号の大きさを検出するように構成され、上記処理回路は、上記大きさを上記ＰＤのＰｏＥ要件に関連付けることと、イーサネット（登録商標）ワイヤを介して、上記大きさによって伝達される、上記ＰＤのＰｏＥ要件に準拠する上記ＰＤに電力を供給するように上記ＰＳＥを制御することとを行うように構成される、項目Ｂ１に記載のシステム。
（項目Ｂ９）
上記第１の信号は、固定大きさ信号である、項目Ｂ１に記載のシステム。
（項目Ｂ１０）
上記第１の信号は、時変信号である、項目Ｂ１に記載のシステム。
（項目Ｂ１１）
上記第１の回路は、上記ＰＤ内で直列に接続される、抵抗器と蓄電器とを備え、上記第１の信号は、時変信号であり、上記第１の検出器は、上記第１の回路の結果として生じる時定数を検出し、上記容量値は、イーサネット（登録商標）ワイヤを介して、上記容量値によって伝達される、上記ＰＤのＰｏＥ要件に準拠する上記ＰＤに電力を供給するように上記ＰＳＥを制御するために、上記時定数から判定される、項目Ｂ１に記載のシステム。
（項目Ｂ１２）
上記処理回路は、ＰｏＥのためのＩＥＥＥ規格に従って、タイプ１およびタイプ２を含む、ＰＤタイプを判定するように構成される、項目Ｂ１に記載のシステム。
（項目Ｂ１３）
上記ＰＳＥによって検出される上記第１の回路の特徴に影響を及ぼし得る、上記ＰＤ内の下流回路から、上記第１の回路を隔離する、上記ＰＤ内の第１のスイッチと、
上記ＰＳＥが上記ＰＤのＰｏＥ要件を判定した後のみ、上記下流回路を、上記ＰＤの入力端末に接続するように、上記第１のスイッチを閉鎖するように構成される、第１のスイッチコントローラと
をさらに備える、項目Ｂ１に記載のシステム。
（項目Ｂ１４）
上記ＰＤはさらに、
上記ＰＳＥがある閾値を超えるＰｏＥ電圧を供給しているかどうかを判定する、低電圧ロックアウト（ＵＶＬＯ）回路と、
上記ＰｏＥ電圧が上記閾値を超えると、ＵＶＬＯ回路によって閉鎖されるように制御される、スイッチと、
上記スイッチが上記ＰｏＥ電圧を調整するために閉鎖されるとき、上記ＰｏＥ電圧を受信するために接続される、ＰＤコンバータと、
上記ＰＤコンバータによって給電される、ＰＤ負荷と
を備え、
上記ＰｏＥ電圧は、上記ＰＳＥが上記ＰＤのＰｏＥ要件を判定した後のみ、上記ＰＳＥによって提供される、項目Ｂ１に記載のシステム。
（項目Ｂ１５）
上記第１の回路は、上記イーサネット（登録商標）ワイヤにわたって接続される、項目Ｂ１に記載のシステム。
（項目Ｂ１６）
上記ＰＳＥが上記ＰＤのＰｏＥ要件を判定した後、上記第１の回路を上記イーサネット（登録商標）ワイヤから切断するために接続される、スイッチをさらに備える、項目Ｂ１５に記載のシステム。
（項目Ｂ１７）
パワーオーバーイーサネット（登録商標）（ＰｏＥ）システムであって、
データおよび電圧をイーサネット（登録商標）ワイヤを経由して提供する給電機器（ＰＳＥ）であって、上記ＰＳＥは、上記イーサネット（登録商標）ワイヤ上での伝送のためのＰｏＥ電圧を生成するための電圧源を有する、給電機器（ＰｏＥ）と、
上記データおよび電圧を受信するために、少なくとも上記イーサネット（登録商標）ワイヤによって上記ＰＳＥに接続される受電デバイス（ＰＤ）であって、上記ＰＤは、上記ＰＤの入力端末に電気的に結合される、ツェナーダイオードを備え、上記ツェナーダイオードは、事前判定された様式において、電圧が制限された信号を作成するために、上記ＰＳＥによって生成された第１の信号に応答し、上記ツェナーダイオードは、上記ＰＤの特定のＰｏＥ要件を伝達するために選択される、受電デバイス（ＰＤ）と
を備え、
上記ＰＳＥはさらに、
特定の時間に、上記イーサネット（登録商標）ワイヤ上の第１の信号を、上記ＰＤの入力端末に提供する、第１の信号ジェネレータであって、上記第１の信号は、上記ＰＤ内のツェナーダイオードに印加される、第１の信号ジェネレータと、
上記第１の信号に応答して、上記ＰＤ内のツェナーダイオードによって生成される、上記電圧が制限された信号を検出する、第１の検出器と、
上記電圧が制限された信号の検出される大きさに応答して、上記電圧が制限された信号を検出することと、上記電圧が制限された信号を、上記ＰＤの特定のＰｏＥ要件と関連付けることと、イーサネット（登録商標）ワイヤを介して、上記電圧が制限された信号によって伝達される、上記ＰＤのＰｏＥ要件に準拠する上記ＰＤに電力を供給するように上記ＰＳＥを制御することとを行うように構成される処理回路と
を備える、パワーオーバーイーサネット（登録商標）（ＰｏＥ）システム。
（項目Ｂ１８）
上記第１の信号は、固定電流である、項目Ｂ１７に記載のシステム。
（項目Ｂ１９）
上記処理回路は、
イーサネット（登録商標）ワイヤを介して、上記制限された電圧によって伝達される、上記ＰＤのＰｏＥ要件に準拠する上記ＰＤに電力を供給するように上記ＰＳＥを制御するための、コントローラ回路
を備える、項目Ｂ１７に記載のシステム。
（項目Ｂ２０）
上記第１の信号は、逓増電圧である、項目Ｂ１７に記載のシステム。
（項目Ｂ２１）
上記処理回路は、
上記逓増電圧信号に応答して、上記電圧が制限された信号を検出するように構成される、第１の検出器と、
イーサネット（登録商標）ワイヤを介して、上記電圧が制限された信号によって伝達される、上記ＰＤのＰｏＥ要件に準拠する上記ＰＤに電力を供給するように上記ＰＳＥを制御するための、コントローラ回路と
を備える、項目Ｂ２０に記載のシステム。
【国際調査報告】
2016535330.tif 000013
2016535330.tif 000014
2016535330.tif 000015